(57)【要約】【課題】デジタルカメラのトリミング装置及び方法を提供する。【解決手段】外部窓が備えられたデジタルカメラのトリミング装置において、ａ）印刷機からの用紙の比率情報に基づいて、外部窓の一部を遮蔽するブラックバーのサイズを決定するブラックバー決定部と、ｂ）ユーザー入力信号に基づいて、画像のサイズ及び位置またはそれらの組合わせを変更することにより、外部窓にディスプレイされる画像のディスプレイ画像を生成する画像変更部と、ｃ）ディスプレイ画像及びブラックバーのサイズに基づいて、ディスプレイ画像の座標を決定する座標決定部と、を備える。これにより、外部窓を固定し、画像を移動することにより、ユーザーに更に直観的なトリミング画像の選択が可能である。【選択図】図３
2006148926.tif 000002
【特許請求の範囲】
【請求項１】
外部窓が備えられたデジタルカメラのトリミング装置において、
ａ）印刷機からの用紙の比率情報に基づいて、前記外部窓の一部を遮蔽するブラックバーのサイズを決定するブラックバー決定部と、
ｂ）ユーザー入力信号に基づいて、画像のサイズ及び位置またはそれらの組合わせを変更することにより、外部窓にディスプレイされる画像のディスプレイ画像を生成する画像変更部と、
ｃ）前記ディスプレイ画像及び前記ブラックバーのサイズに基づいて、前記ディスプレイ画像の座標を決定する座標決定部と、を備えることを特徴とする装置。
【請求項２】
前記（ａ）ブラックバー決定部は、
前記比率情報と、前記外部窓の横及び縦の比率との比較結果に基づいて、前記ブラックバーを前記外部窓の上端、下端または上下端に生成することを特徴とする請求項１に記載の装置。
【請求項３】
前記（ａ）ブラックバー決定部は、
前記比率情報と、前記外部窓の横及び縦の比率との比較結果に基づいて、前記ブラックバーを前記外部窓の右側、左側または左右側に生成することを特徴とする請求項１に記載の装置。
【請求項４】
前記（ｂ）画像変更部は、
前記画像をズームインまたは前記画像をズームアウトすることにより、前記画像のサイズを変更することを特徴とする請求項１に記載の装置。
【請求項５】
前記（ｂ）画像変更部は、
前記画像を左側移動、右側移動、上側移動、下側移動またはそれらの組合わせにより前記画像の位置を変更することを特徴とする請求項１に記載の装置。
【請求項６】
前記（ｃ）座標決定部は、
前記外部窓に表示されたディスプレイ画像の座標値で、前記ブラックバーのサイズを考慮することにより生成された座標値を前記トリミング座標値として生成することを特徴とする請求項１に記載の装置。
【請求項７】
前記トリミング座標は、前記ディスプレイ画像の左側上端頂点の座標及び右側下端頂点の座標を含むことを特徴とする請求項６に記載の装置。
【請求項８】
外部窓が備えられたデジタルカメラのトリミング方法において、
ａ）印刷機からの用紙の比率情報に基づいて、前記外部窓の一部を遮蔽するブラックバーのサイズを決定するブラックバー決定ステップと、
ｂ）ユーザー入力信号に基づいて、画像のサイズ及び位置またはそれらの組合わせを変更することにより外部窓にディスプレイされる画像のディスプレイ画像を生成する画像変更ステップと、
ｃ）前記ディスプレイ画像及び前記ブラックバーのサイズに基づいて、前記ディスプレイ画像の座標を決定する座標決定ステップと、を含むことを特徴とする方法。
【請求項９】
前記（ａ）ブラックバー決定ステップは、
前記比率情報と、前記外部窓の横及び縦の比率との比較結果に基づいて、前記ブラックバーを前記外部窓の上端、下端または上下端に生成することを特徴とする請求項８に記載の方法。
【請求項１０】
前記（ａ）ブラックバー決定ステップは、
前記比率情報と、前記外部窓の横及び縦の比率との比較結果に基づいて、前記ブラックバーを前記外部窓の右側、左側または左右側に生成することを特徴とする請求項８に記載の方法。
【請求項１１】
前記（ｂ）画像変更ステップは、
前記画像をズームインまたは前記画像をズームアウトすることにより、前記画像のサイズを変更するステップを含むことを特徴とする請求項８に記載の方法。
【請求項１２】
前記（ｂ）画像変更ステップは、
前記画像を左側移動、右側移動、上側移動、下側移動またはそれらの組合わせにより前記画像の位置を変更するステップを含むことを特徴とする請求項８に記載の方法。
【請求項１３】
前記（ｃ）座標決定ステップは、
前記外部窓に表示されたディスプレイ画像の座標値で、前記ブラックバーのサイズを考慮することにより生成された座標値を前記トリミング座標値として生成するステップを含むことを特徴とする請求項８に記載の方法。
【請求項１４】
前記トリミング座標は、前記ディスプレイ画像の左側上端頂点の座標及び右側下端頂点の座標を含むことを特徴とする請求項１３に記載の方法。
【請求項１５】
請求項１に記載のトリミング装置を含むデジタルカメラ。
【請求項１６】
請求項８に記載の方法をコンピュータで実行させるためのプログラムを記録したコンピュータで読み取り可能な記録媒体。
【発明の詳細な説明】
【技術分野】
【０００１】
本発明は、デジタルカメラのトリミング装置及び方法に係り、より詳細には、デジタルカメラのＬＣＤ（Ｌｉｑｕｉｄ Ｃｒｙｓｔａｌ Ｄｉｓｐｌａｙ）に表示される画像を更に便利にトリミングできるトリミング装置及び方法に関する。
【背景技術】
【０００２】
トリミングとは、写真印画時に撮影した画像のうち、印画したい部分のみを選択して拡大印画することを言う。デジタルカメラでのトリミングとは、デジタルカメラに設置された外部窓に表示された画像のうち一部を選択し、選択された一部画像を印刷機を利用して印刷することにより行われる。
【０００３】
図１は、従来のデジタルカメラでのトリミングの概念を示す図面である。
【０００４】
デジタルカメラの外部窓１１０内には、全体画像１２０がディスプレイされる。ユーザーがトリミング機能を選択すれば、直四角形のトリミングブロック１３０、１４０が外部窓１１０の内部に生成される。ユーザーは、トリミングブロック１３０、１４０を移動させつつ、トリミングしようとする部分、すなわち、トリミング画像１５０を選択する。トリミング画像１５０は、選択された領域の幾何学的な座標値のトリミング座標、例えば、左側上端の頂点の座標及び右側下端の頂点の座標を利用して特定可能である。
【０００５】
図２は、従来のトリミング方法を示すフローチャートである。
【０００６】
ステップ２１０で、デジタルカメラの外部窓に全体画像がディスプレイされる。
【０００７】
ステップ２２０で、ユーザーは、デジタルカメラのトリミング機能を選択することにより、外部ウインドウの内部にトリミングブロックを生成する。
【０００８】
ステップ２３０で、ユーザーは、デジタルカメラの移動キーを利用してトリミングブロックを移動することにより、印刷しようとするトリミング画像を選択する。
【０００９】
ステップ２４０で、デジタルカメラは、全体画像の画像ファイル及び選択されたトリミング画像を特定するトリミング座標値を印刷機で伝送する。
【００１０】
ステップ２５０で、印刷機は、画像ファイルを画像プロセシングすることにより画像を生成し、生成された画像のうち、トリミング座標値により特定されるトリミング映像のみを所定の印刷用紙に印刷する。
【００１１】
しかし、前記の従来の方法によれば、デジタルカメラの外部窓には全体画像がディスプレイされ、ユーザーが選択する部分、すなわち、トリミング画像に該当する部分は、外部窓内の一部としてディスプレイされる。したがって、ユーザーは、自身がトリミングしようとする部分の内容を視覚的に認識し難い。特に、一般的に使用されるデジタルカメラは、２インチ以下の小型外部窓を有しており、このような問題点は更に深刻である。
【特許文献１】特開２００２−２２３４１３号公報
【発明の開示】
【発明が解決しようとする課題】
【００１２】
本発明の目的は、前記問題点を解決するためになされたものであって、外部窓を固定し、画像を移動することにより、ユーザーにより直観的なトリミング画像選択を可能にするトリミング装置及び方法を提供するところにある。
【課題を解決するための手段】
【００１３】
前記課題を解決するための本発明は、外部窓が備えられたデジタルカメラのトリミング装置において、ａ）印刷機からの用紙の比率情報に基づいて、前記外部窓の一部を遮蔽するブラックバーのサイズを決定するブラックバー決定部と、ｂ）ユーザー入力信号に基づいて、画像のサイズ及び位置またはそれらの組合わせを変更することにより、外部窓にディスプレイされる画像のディスプレイ画像を生成する画像変更部と、ｃ）前記ディスプレイ画像及び前記ブラックバーのサイズに基づいて、前記ディスプレイ画像の座標を決定する座標決定部と、を備える。
【００１４】
ここで、前記（ａ）ブラックバー決定部は、前記比率情報と、前記外部窓の横及び縦の比率との比較結果に基づいて、前記ブラックバーを前記外部窓の上端、下端または上下端に生成する。
【００１５】
また、ここで、前記（ａ）ブラックバー決定部は、前記比率情報と、前記外部窓の横及び縦の比率との比較結果に基づいて、前記ブラックバーを前記外部窓の右側、左側または左右側に生成する。
【００１６】
また、前記（ｂ）画像変更部は、前記画像をズームインまたは前記画像をズームアウトするか、または、前記画像を左側移動、右側移動、上側移動、下側移動またはそれらの組合わせにより前記画像の位置を変更する。
【００１７】
また、前記（ｃ）座標決定部は、前記外部窓に表示されたディスプレイ画像の座標値で、前記ブラックバーのサイズを考慮することにより生成された座標値を前記トリミング座標値として生成し、前記トリミング座標は、前記ディスプレイ画像の左側上端頂点の座標及び右側下端頂点の座標を含む。
【００１８】
また、本発明は、外部窓が備えられたデジタルカメラのトリミング方法において、ａ）印刷機からの用紙の比率情報に基づいて、前記外部窓の一部を遮蔽するブラックバーのサイズを決定するブラックバー決定ステップと、ｂ）ユーザー入力信号に基づいて、画像のサイズ及び位置またはそれらの組合わせを変更することにより外部窓にディスプレイされる画像のディスプレイ画像を生成する画像変更ステップと、ｃ）前記ディスプレイ画像及び前記ブラックバーのサイズに基づいて、前記ディスプレイ画像の座標を決定する座標決定ステップと、を含む。
【００１９】
また、本発明は、前記のトリミング装置を備えるデジタルカメラにも適用さる。
【発明の効果】
【００２０】
本発明によれば、外部窓を固定し、画像を移動することにより、ユーザーにより直観的なトリミング画像選択を可能にするトリミング装置及び方法が提供される。
【発明を実施するための最良の形態】
【００２１】
以下、添付された図面を参照して、本発明に係る好ましい一実施形態を詳細に説明する。
【００２２】
図３は、本発明に係るトリミング装置を示す図面である。
【００２３】
本発明に係るトリミング装置３００は、ブラックバー決定部３１０、座標決定部３２０及び画像変更部３３０を備える。トリミング装置３００は、デジタルカメラの内部に備えられる。
【００２４】
ブラックバー決定部３１０は、印刷機からの比率情報３０２に基づいて、ブラックバーのサイズ３１２を決定する。比率情報３０２とは、現在印刷作業に使用されているプリンティング用紙の横及び縦のサイズ比率を意味する。比率情報３０２は、印刷機から獲得可能であり、デジタルプリンティングシステム（Ｄｉｇｉｔａｌ Ｐｒｉｎｔｉｎｇ Ｓｙｓｔｅｍ：ＤＰＳ）を使用する場合、デジタルカメラと印刷機３４０とが連結されるやいなや、印刷機３４０からデジタルカメラに伝送されるプリンタ情報内に含まれる。
【００２５】
ブラックバーは、デジタルカメラの外部窓を覆う黒い色の遮蔽窓をいう。印刷作業に使用される用紙の規格とプリンティングされる、すなわちトリミングされるトリミング画像とを直観的にユーザーにディスプレイするためである。これについては、図４で詳細に説明する。
【００２６】
画像変更部３３０は、ユーザー入力信号３０４及び画像ファイル３０６を受信して、画像プロセシングにより画像を生成し、生成された画像をユーザー入力信号３０４に基づいて、デジタルカメラの外部窓にディスプレイされる画像のサイズ及び位置を変更することによりディスプレイ画像３３２を生成する。
【００２７】
ここで、サイズ変更は、画像ファイル３０６によりデジタルカメラの外部窓にディスプレイされる画像をズームイン、ズームアウトする動作を含み、位置変更は、画像ファイル３０６によりデジタルカメラの外部窓にディスプレイされる画像を上向き移動、下方き移動、左側移動及び右側移動する動作を含む。すなわち、ユーザー入力信号３０４は、画像変更部３３０をして外部窓にディスプレイされる画像をズームイン、ズームアウト、上向き移動、下方き移動、左側移動及び右側移動せしめる信号である。
【００２８】
座標決定部３２０は、ブラックバーのサイズ３１２及びディスプレイ画像３３２に基づいてトリミング座標３２２を生成する。トリミング座標とは、トリミング画像を特定する座標を言い、本発明の好ましい実施形態で右側上端の頂点の座標及び左側下端の頂点の座標を含む。
【００２９】
印刷機３４０は、トリミング装置３００から画像ファイル３０６及びトリミング座標３２２を受信し、トリミング座標３２２及び画像ファイル３０６に基づいてトリミング画像を生成した後、これを印刷する。
【００３０】
図４は、ブラックバー生成部の動作を示す図面である。
【００３１】
図４の左側絵は、本来の画像４１０のうち、デジタルカメラの外部窓４２０内に表示されるディスプレイ画像４２５を示す。外部窓４２０の横及び縦の比率は、常にデジタルカメラの製造時に固定されていることに対し、印刷しようとするトリミング画像の比率は可変的であるため、ユーザーが所望する比率のトリミング画像をユーザーに直観的にディスプレイするためには、ブラックバー４５０が必要である。ブラックバー４５０は、外部窓の上下または左右に生成される。
【００３２】
図３に示すように、ブラックバー決定部３１０は、印刷機からの比率情報３０２に基づいて、ブラックバーのサイズｄを決定する。ブラックバーのサイズｄは、外部窓４２０にディスプレイされるディスプレイ画像４２５の横及び縦の比率を、ユーザーが所望するトリミング画像Ｔの横及び縦の比率ｘ：ｙに一致させるために、外部窓を遮蔽するために使用されるブラックバーの相対的なサイズである。
【００３３】
もし、デジタルカメラの外部窓の比率が横＊縦＝１０＊１０であるが、ユーザーが所望するトリミング画像の比率が横＊縦＝１０＊７であれば、ブラックバーは、上下に生成され、上端ブラックバー４３０のサイズｄｈ＿１は１.５であり、下端ブラックバー４４０のサイズｄｈ＿２は１.５である。
【００３４】
変形された実施形態で、ブラックバー４５０は、上端または下端に一つのみが形成される。すなわち、前記の例で上端ブラックバー４３０のサイズｄｈ＿１は３.０であり、下端ブラックバー４４０のサイズｄｈ＿２は０.０である実施形態も可能であり、上端ブラックバー４３０のサイズｄｈ＿１は０.０であり、下端ブラックバー４４０のサイズｄｈ＿２は３.０である実施形態も可能である。
【００３５】
図５は、座標決定部の動作を示す図面である。
【００３６】
座標決定部３２０は、ブラックバーのサイズ３１２及びディスプレイ画像３３２に基づいてトリミング座標３２２を生成する。すなわち、座標決定部３２０は、外部窓に表示されたディスプレイ画像の座標値で、ブラックバーのサイズを考慮することにより生成された座標値をトリミング座標値として生成する。
【００３７】
図５で、図面符号５１０は、イメージファイル３０６に基づいて生成された画像を示し、図面符号５３０は、ユーザーがズームインなどにより変更された画像を示す。図５で、変更された画像５３０は、ズームイン動作により画像５１０より大きくなり、方向キーの移動により外部窓５２０の位置が変更された。すなわち、ディスプレイ画像３３２は、第１画像５５０から第２画像５６０に変更された。ディスプレイ画像が変更されたという意味は、相対的に外部窓の位置が、第１位置５２０から第２位置５４０に変更されたということと同じである。
【００３８】
トリミング画像Ｔは、第２位置５４０でのディスプレイ画像５６０である。すなわち、トリミング画像は、第２位置５４０でのディスプレイ画像（外部窓に表示された画像）でブラックバーのサイズほど除外したサイズを有する画像として特定される。
【００３９】
トリミング画像Ｔは、座標システムを利用して特定される。ここで座標は、第２位置５３０でのイメージの画素の位置を示す。
【００４０】
本発明の一実施形態で、トリミング画像Ｔの座標、すなわち、トリミング座標は、トリミング画像の左側上端の頂点Ｐ１及び右側下端の頂点Ｐ２である。前記のように、頂点Ｐ１、Ｐ２は、ディスプレイ画像（外部窓に表示された画像）及びブラックバーのサイズに基づいて生成される。
【００４１】
図６は、ブラックバー生成部の更に他の動作を示す図面である。
【００４２】
図６の左側絵は、本来の画像６１０のうち、デジタルカメラの外部窓６２０内に表示されるディスプレイ画像６２５を示す。図６の実施形態でブラックバー４５０は、外部窓の左右に生成される。
【００４３】
すなわち、ブラックバー決定部は、比率情報３０２と、外部窓の横長及び縦長の比率との比較結果に基づいて、ブラックバーを外部窓の上端、下端または上下端に生成するか、またはブラックバーを外部窓の右側、左側または左右側に生成する。例えば、もし、用紙が外部窓のサイズより横側に更に長い形状を有する場合には、ブラックバーは、外部窓の上下端に形成され、もし、用紙が外部窓のサイズより縦側に更に長い形状を有する場合には、ブラックバーは、外部窓の左右側に形成される。
【００４４】
図３と同様に、ブラックバー決定部３１０は、印刷機からの比率情報３０２に基づいてブラックバーのサイズｄを決定する。ブラックバーのサイズｄは、外部窓４２０にディスプレイされるディスプレイ画像４２５の横及び縦の比率を、ユーザーが所望するトリミング画像Ｔの横及び縦の比率ｘ：ｙに一致させるために、外部窓を遮蔽するために使用されるブラックバーの相対的なサイズである。
【００４５】
もし、デジタルカメラの外部窓の比率が横＊縦＝１０＊１０であるが、ユーザーが所望するトリミング画像の比率が横＊縦＝７＊１０であれば、ブラックバーは左右に生成され、左側ブラックバー６３０のサイズｄｖ＿１は１.５であり、右側ブラックバー６４０のサイズｄｖ＿２は１.５である。
【００４６】
変形された実施形態で、ブラックバー４５０は、左側または右側に一つのみが形成される。すなわち、前記の例で、左側ブラックバー６３０のサイズｄｖ＿１は３.０であり、右側ブラックバー６４０のサイズｄｖ＿２は０.０である実施形態も可能であり、左側ブラックバー６３０のサイズｄｖ＿１は０.０であり、右側ブラックバー６４０のサイズｄｖ＿２は３.０である実施形態も可能である。
【００４７】
図７は、本発明に係るトリミング方法を示す図面である。
【００４８】
ステップ７１０で、カメラは、印刷機から印刷用紙の比率情報を受信する。カメラがデジタルプリンティングシステム（ＤＰＳ）を支援する場合には、比率情報は、プリンティング情報内に含まれ、カメラと印刷機とを連結する瞬間印刷機からカメラに伝送される。
【００４９】
ステップ７２０で、カメラは、比率情報に基づいてブラックバーのサイズを決定する。ブラックバーは、カメラの外部窓を遮蔽する部分であって、トリミング画像の横：縦の比率を決定する。
【００５０】
ステップ７３０で、カメラは、ステップ７２０で決定されたブラックバーのサイズを有するブラックバーをカメラの外部窓にディスプレイする。
【００５１】
ステップ７４０で、カメラは、撮像されたイメージファイルをイメージプロセシングすることにより外部窓に画像をディスプレイする。
【００５２】
ステップ７５０で、ユーザーは、ステップ７４０でディスプレイされたディスプレイ画像をズームイン、ズームアウト、上向き移動、下方き移動、右側移動及び左側移動することによりトリミング画像を決定する。すなわち、外部窓にディスプレイされたディスプレイ画像はトリミング画像になる。
【００５３】
ステップ７６０で、カメラは、ステップ７５０で決定されたディスプレイ画像及びステップ７２０のブラックバーのサイズを利用して、ディスプレイ画像の座標のトリミング座標を決定する。一実施形態でトリミング座標は、ディスプレイ画像（すなわち、トリミング画像）の左側上端の頂点及び右側下端の頂点の座標である。
【００５４】
ステップ７７０で、カメラは、イメージファイル及びステップ７６０で生成されたトリミング座標を印刷機に伝送する。
【００５５】
ステップ７８０で、印刷機は、イメージファイル及びトリミング座標を利用してトリミング画像を印刷する。すなわち、印刷機は、イメージファイルをイメージプロセシングすることにより画像を生成した後、画像内でトリミング座標に対応する部分のみを印刷する。
【００５６】
一方、本発明に係るトリミング方法は、コンピュータプログラムで作成可能である。前記プログラムを構成するコード及びコードセグメントは、当業界のコンピュータプログラマーによって容易に推論されうる。また、前記プログラムは、コンピュータが読み取り可能な情報記録媒体に保存され、コンピュータによって読み取り及び実行されることによりトリミング方法を具現する。前記情報記録媒体は、磁気記録媒体、光記録媒体、及びキャリアウェーブ媒体を含む。
【００５７】
以上、本発明についてその好ましい実施形態を中心に説明した。当業者は、本発明が本発明の本質的な特性から逸脱しない範囲で変形された形態に具現できるということを理解できる。したがって、開示された実施形態は、限定的な観点ではなく、説明的な観点で考慮されねばならない。本発明の範囲は、前記の説明ではなく、特許請求の範囲に記載されており、それと同等な範囲内にあるあらゆる差異点は、本発明に含まれたものと解釈されねばならない。
【産業上の利用可能性】
【００５８】
本発明は、デジタルカメラのトリミング装置に利用可能である。
【図面の簡単な説明】
【００５９】
【図１】従来のデジタルカメラでのトリミングの概念を示す図面である。
【図２】従来のトリミング方法を示すフローチャートである。
【図３】本発明に係るトリミング装置を示す図面である。
【図４】ブラックバー生成部の動作を示す図面である。
【図５】座標決定部の動作を示す図面である。
【図６】ブラックバー生成部の更に他の動作を示す図面である。
【図７】本発明に係るトリミング方法を示す図面である。
【符号の説明】
【００６０】
３００  トリミング装置
３０２  比率情報
３０４  ユーザー入力信号
３０６  画像ファイル
３１０  ブラックバー決定部
３１２  ブラックバーのサイズ
３２０  座標決定部
３３０  画像変更部
３３２  ディスプレイ画像
３４０  印刷機
【図１】
2006148926.tif 000003
【図２】
2006148926.tif 000004
【図３】
2006148926.tif 000005
【図４】
2006148926.tif 000006
【図５】
2006148926.tif 000007
【図６】
2006148926.tif 000008
【図７】
2006148926.tif 000009